(57)【特許請求の範囲】
【請求項１】
エレベータの据付作業者が、昇降路内を昇降する作業床上で据付作業を行うエレベータの据付方法であって、
リミットスイッチを動作させるための下カムを、前記作業床の昇降範囲の下限高さに合わせてガイドレールに固定するステップと、
前記リミットスイッチを前記作業床に固定するステップと、
前記リミットスイッチを動作させるための上カムを、前記作業床の昇降範囲の上限高さに合わせて、レバー操作のみによって前記ガイドレールに固定するステップと、
前記下カム及び前記リミットスイッチ、前記上カムの固定後、前記ガイドレールの芯出し作業を行うステップと、
前記ガイドレールの芯出し作業によって前記作業床の昇降範囲の上限高さが変化した場合に、レバー操作によって前記上カムを前記ガイドレールから取り外すとともに、新規上限高さに合わせて、前記上カムを再度レバー操作のみによって前記ガイドレールに固定するステップと、
を備えたことを特徴とするエレベータの据付方法。
【請求項２】
エレベータの据付作業者が、昇降路内を昇降する作業床上で据付作業を行うエレベータの据付方法であって、
リミットスイッチを動作させるための下側動作部を有する下カムを、前記下側動作部が、平面視前記作業床に接近及び離隔可能なように、前記作業床の昇降範囲の下限高さに合わせてガイドレールに固定するステップと、
前記ガイドレールに固定された前記下カムの前記下側動作部に検出子が平面視対向するように、前記リミットスイッチを前記作業床に固定するステップと、
前記下カムの前記下側動作部を、前記作業床に固定された前記検出子に合わせて固定するステップと、
前記リミットスイッチを動作させるための上側動作部を有する上カムを、前記上側動作部が、平面視前記作業床に接近及び離隔可能なように、前記作業床の昇降範囲の上限高さに合わせて、レバー操作によって前記ガイドレールに固定するステップと、
前記上カムの前記上側動作部を、前記作業床に固定された前記検出子に合わせて固定するステップと、
前記下側動作部及び前記上側動作部の固定後、前記ガイドレールの芯出し作業を行うステップと、
前記ガイドレールの芯出し作業によって前記作業床の昇降範囲の上限高さが変化した場合に、レバー操作によって前記上カムを前記ガイドレールから取り外すとともに、前記上側動作部の固定を保持したまま、新規上限高さに合わせて、前記上カムを再度レバー操作によって前記ガイドレールに固定するステップと、
を備えたことを特徴とするエレベータの据付方法。
【請求項３】
リミットスイッチは、作業床に立設された手摺装置を構成する部材のうち、下カムが固定されたガイドレールに隣接する部分の、水平に配置された棒状部材に固定されることを特徴とする請求項１又は請求項２に記載のエレベータの据付方法。
【請求項４】
エレベータの据付時、作業床の昇降範囲を規制するためのカム装置であって、
前記作業床に固定されたリミットスイッチを動作させるための動作手段と、
前記動作手段を支持する支持体と、
レバー操作により前記支持体をガイドレールに着脱する固定手段と、
を備えたことを特徴とするエレベータ据付用のカム装置。
【請求項５】
固定手段は、
支持体に設けられた受け部と、
前記支持体に回動自在に設けられたレバーと、
前記レバーの操作により、鉤状を呈する一端部及びこの一端部に対向して配置された前記受け部間距離が広狭自在に移動するフックと、
を備え、前記受け部と前記フックとによってガイドレールのフランジ部が狭持されることにより、前記支持体が前記ガイドレールに固定されることを特徴とする請求項４に記載のエレベータ据付用のカム装置。
【請求項６】
フックは、それぞれ受け部に対向するようにその配置が切換自在な第１のフックと第２のフックとを有し、前記第１のフック及び前記第２のフックは、前記受け部に対向して配置された際に前記受け部との距離が互いに異なることを特徴とする請求項５に記載のエレベータ据付用のカム装置。
【請求項７】
レバーは、支持体がガイドレールに着脱される際に、前記ガイドレールの背面に沿って回動するように、その回動軸が配置されたことを特徴とする請求項５又は請求項６に記載のエレベータ据付用のカム装置。
【請求項８】
動作手段は、支持体に回動自在に設けられ、前記支持体がガイドレールに固定された際に、作業床に固定されたリミットスイッチを動作させる動作部が、平面視前記作業床に近接及び離隔するように、その回動軸が配置されたことを特徴とする請求項４から請求項７の何れかに記載のエレベータ据付用のカム装置。
【発明の詳細な説明】
【技術分野】
【０００１】
この発明は、エレベータの据付作業者が、昇降路内を昇降する作業床上で据付作業を行うエレベータの据付方法、並びに、その据付方法において使用されるカム装置に関するものである。
【背景技術】
【０００２】
エレベータの据付に際しては、昇降路内を昇降する作業床上で作業者が据付作業を行う方法が一般に採用されている。この据付方法では、先ず、エレベータ昇降路の上下部に型板を設定して所定の位置決めをした後、昇降路内にガイドレールを仮設し、最下段のガイドレールに作業床を組み立てる。なお、作業床として本設かごを用いる場合もある。そして、本設巻上機や仮設電動ウインチ等の揚重装置を使用してこの作業床を昇降させ、据付に必要な作業を昇降路の下部から順次実施する。
【０００３】
この据付方法では、ガイドレールの芯出し作業も、作業床上の据付作業者によって昇降路の下部から順次行われる。このため、芯出し作業が完了していないガイドレールの高さに作業床が達してしまうと、作業床がガイドレールから外れてしまう恐れがある。このような事態を防止するため、上記方法によってエレベータの据付を行う場合、作業床の位置（高さ）を検出する安全装置を設置して作業床の昇降を所定の範囲に規制している。
【０００４】
また、上記作業床の昇降範囲を規制するための従来技術として、作業床を構成するかごにリミットスイッチを設置するとともに、ガイドレールに固定するカムをかごの上限位置に相当する高さに配置して、かごがその上限位置に達した際に、上記カムによって上記リミットスイッチを動作させるように構成したものが提案されている（例えば、特許文献１参照）。
【０００５】
【特許文献１】特開平１１−９２０５１号公報
【発明の開示】
【発明が解決しようとする課題】
【０００６】
特許文献１記載のものでは、かごが上限位置に達した際にリミットスイッチから出力される信号によって、かごを確実に停止させることができ、据付作業時における安全を確実なものにすることができる。しかし、上記リミットスイッチ及びカムは、適切な位置に配置しないと動作しないため、その取付や位置合わせに手間が掛かり、作業性が著しく悪化するといった問題があった。
【０００７】
例えば、上記リミットスイッチは、一般に、かごの縦柱に形成された取付孔を利用して、この縦柱にボルトによって締結固定される。しかし、エレベータは、その機種毎にガイドレールとかごとの距離やガイドレールサイズが異なるため、リミットスイッチを縦柱に、また、カムをガイドレールに直接固定すると、エレベータの機種によってはリミットスイッチとカムとを適切な位置に配置できなくなることがあった。かかる場合には、位置合わせ用の調整板等を使用してリミットスイッチ或いはカムの位置を調整し直さなければならず、その作業に多大な時間と手間とを要することとなっていた。
【０００８】
また、ガイドレールの芯出し作業は、昇降路の下部から順次行われるため、芯出し作業を実施するガイドレールの高さに合わせて、かごの上限位置を規制するためのカムを順次上方に移動させなければならない。しかし、カムは、一般に、ガイドレール固定用に用いられるレールクリップを使用して、ガイドレールにボルトによって締結固定されるため、カムの移動の度に複数のボルトの弛緩作業と締付作業とが必要になり、多大な手間を要することとなっていた。
【０００９】
この発明は、上述のような課題を解決するためになされたもので、その目的は、エレベータの据付時に、作業床の昇降を所定の範囲に確実に規制することができ、且つ、そのための作業を大幅に簡素化できるエレベータの据付方法、並びにそれに用いるカム装置を提供することである。
【課題を解決するための手段】
【００１０】
この発明に係るエレベータの据付方法は、エレベータの据付作業者が、昇降路内を昇降する作業床上で据付作業を行うエレベータの据付方法であって、リミットスイッチを動作させるための下カムを、作業床の昇降範囲の下限高さに合わせてガイドレールに固定するステップと、リミットスイッチを作業床に固定するステップと、リミットスイッチを動作させるための上カムを、作業床の昇降範囲の上限高さに合わせて、レバー操作のみによってガイドレールに固定するステップと、下カム及びリミットスイッチ、上カムの固定後、ガイドレールの芯出し作業を行うステップと、ガイドレールの芯出し作業によって作業床の昇降範囲の上限高さが変化した場合に、レバー操作によって上カムをガイドレールから取り外すとともに、新規上限高さに合わせて、上カムを再度レバー操作のみによってガイドレールに固定するステップと、を備えたものである。
【００１１】
また、この発明に係るエレベータの据付方法は、エレベータの据付作業者が、昇降路内を昇降する作業床上で据付作業を行うエレベータの据付方法であって、リミットスイッチを動作させるための下側動作部を有する下カムを、下側動作部が、平面視作業床に接近及び離隔可能なように、作業床の昇降範囲の下限高さに合わせてガイドレールに固定するステップと、ガイドレールに固定された下カムの下側動作部に検出子が平面視対向するように、リミットスイッチを作業床に固定するステップと、下カムの下側動作部を、作業床に固定された検出子に合わせて固定するステップと、リミットスイッチを動作させるための上側動作部を有する上カムを、上側動作部が、平面視作業床に接近及び離隔可能なように、作業床の昇降範囲の上限高さに合わせて、レバー操作によってガイドレールに固定するステップと、上カムの上側動作部を、作業床に固定された検出子に合わせて固定するステップと、下側動作部及び上側動作部の固定後、ガイドレールの芯出し作業を行うステップと、ガイドレールの芯出し作業によって作業床の昇降範囲の上限高さが変化した場合に、レバー操作によって上カムをガイドレールから取り外すとともに、上側動作部の固定を保持したまま、新規上限高さに合わせて、上カムを再度レバー操作によってガイドレールに固定するステップと、を備えたものである。
【００１２】
この発明に係るカム装置は、エレベータの据付時、作業床の昇降範囲を規制するためのカム装置であって、作業床に固定されたリミットスイッチを動作させるための動作手段と、動作手段を支持する支持体と、レバー操作により支持体をガイドレールに着脱する固定手段と、を備えたものである。
【発明の効果】
【００１４】
この発明によれば、エレベータの据付時に、作業床の昇降を所定の範囲に確実に規制することができ、且つ、そのための作業を大幅に簡素化できるようになる。
【発明を実施するための最良の形態】
【００１５】
この発明をより詳細に説明するため、添付の図面に従ってこれを説明する。なお、各図中、同一又は相当する部分には同一の符号を付しており、その重複説明は適宜に簡略化ないし省略する。
【００１６】
実施の形態１．
図１はこの発明の実施の形態１におけるエレベータの据付方法を説明するための図である。図１において、１はエレベータ昇降路、２は昇降路１のピット床面、３はピット床面２の適正位置に設けられたレール支持台、４はこのレール支持台３に立設されたガイドレールである。５は本設かごであるとともに、エレベータの据付時に据付作業者が乗って作業を行うための作業床を構成する。即ち、図１に示すエレベータでは、本設かご５をエレベータ据付時の作業床として利用する据付方法が採用されている。
【００１７】
上記据付方法においては、例えば、以下の手順によって各作業が行われる。
先ず、作業者は、昇降路１の上下部に型板（図示せず）を設定して所定の位置決めを行った後、昇降路１内にガイドレール４を仮設し、最下段のガイドレール４にかご５を組み立てる。そして、本設巻上機等の揚重装置（図示せず）を使用してかご５を上昇させながら、据付に必要な種々の作業を昇降路１の下部から順次実施していく。この時、ガイドレール４の芯出し作業及び固定作業も、下方に配置されたガイドレール４から順次行う。
【００１８】
エレベータの据付作業時、芯出し作業が完了していないガイドレール４の高さにかご５が達してしまうと、かご５がガイドレール４から外れてしまう恐れがある。このため、昇降路１内には、かご５の位置（高さ）を検出してかご５の昇降を所定の範囲に規制する安全装置が設置されている。
【００１９】
上記安全装置は、エレベータの据付作業時のみ備えられるものであり、エレベータの通常サービスが開始されるまでには取り外され、昇降路１の外部に搬出される。この安全装置は、例えば、下カム６、リミットスイッチ７、上カム８によって構成される。下カム６及び上カム８は、下限及び上限を設定してかご５の昇降範囲を規制するためのものであり、かご５が所定の位置（上記上限位置、下限位置）に達した際にリミットスイッチ７を動作させることにより、かご５を非常停止させるための信号をリミットスイッチ７から出力させる。例えば、下カム６及び上カム８は芯出し作業が完了したガイドレール４に、リミットスイッチ７はかご５の天井面に立設された手摺装置９に固定される。
【００２０】
次に、図２乃至図１０に基づいて、上記安全装置の具体的な構成を説明する。
図２はこの発明の実施の形態１における下カムを説明するための平面図、図３はその背面図、図４はその側面図である。図２乃至図４において、下カム６は、かご５に固定されたリミットスイッチ７を動作させるためのロータリーバー１０（動作手段）、ロータリーバー１０を支持する支持体１１、支持体１１をガイドレール４の所定位置に固定するための固定手段１２を備えている。上記支持体１１は、例えば、図２及び図３に示すようにＬ字形状を呈する板状部材からなり、その一側面をガイドレール４の背面に接触させた状態でガイドレール４に固定される。
【００２１】
固定手段１２は、支持体１１の一側面中央部に溶接固定された受け部１３と、ボルト１４及びナット１５によって、支持体１１の一端部一側面に着脱自在に固定されるレールクリップ１６とから構成されている。上記受け部１３には、支持体１１の一側面に所定の角度を有して対向する傾斜面１３ａが形成されている。そして、ガイドレール４の一側部を受け部１３の傾斜面１３ａに突き当てた状態でボルト１４が締め付けられることにより、レールクリップ１６と支持板１１とによってガイドレール４の他側部を狭持して、支持板１１をガイドレール４に強固に固定する。この時、支持体１１は、その一側面が平面視対向するかご５の側壁（図示せず）に対して平行で、ほぼ水平に配置され、他端部がガイドレール４の背面側から側方に突出するように配置される。
【００２２】
ロータリーバー１０は、例えば、支持体１１の他端部に設けられたＬ字状を呈する棒状部材からなり、リミットスイッチ７を動作させる部分（動作部）１０ａと支持体１１の一側面との平面視距離Ｌが、所定の範囲で調整自在となるように構成されている。具体的には、上記ロータリーバー１０は、動作部１０ａを支持する支持部１０ｂが、軸１７を介して支持体１１の他端部に回動自在に固定される。ここで、上記軸１７は、その軸方向が、ガイドレール４の側方に突出する支持体１１の長手方向に配置されている。したがって、ロータリーバー１０は、支持部１０ｂが軸１７を中心に回動することにより、動作部１０ａが、水平な状態を保持したまま、軸１７を中心とした円を描くように回転する。即ち、支持部１０ｂの角度を調整することにより、上記距離Ｌを任意の値に調整することができる。
【００２３】
上記支持部１０ｂの固定は、蝶ボルト１８を使用して、支持部１０ｂの一端部を支持体１１の他端部に締結固定することによって行う。なお、支持体１１の他端部には、蝶ボルト１８を締め付けるための複数の取付孔１１ａが形成され、上記距離Ｌを調整可能にするために、上記取付孔１１ａが、軸１７を中心とした円弧状に配置されている。（或いは、支持体１１の他端部に、軸１７を中心とした円弧状の取付孔が形成されている。）ここで、ロータリーバー１０の支持部１０ｂは、その回動中心（軸１７の位置）が、動作部１０ａが設けられた他端部側よりも上記一端部側に寄って配置されており、支持部１０ｂを水平に配置した場合（上記距離Ｌを最大にした場合）であっても、ガイドレール４の背面側への突出量が最小となるように配慮されている。
【００２４】
図５はこの発明の実施の形態１におけるリミットスイッチを説明するための側面図、図６はこの発明の実施の形態１におけるリミットスイッチと下カムとの配置を示す側面図である。図５及び図６において、リミットスイッチ７は、リミットスイッチ本体１９、上方或いは下方に付勢されることによりリミットスイッチ本体１９にかご５に対する非常停止信号を出力させる検出子２０、リミットスイッチ本体１９を手摺装置９に取り付けるための取付部２１とから構成される。
【００２５】
なお、上記手摺装置９は、作業床を構成するかご５の天井面を取り囲むように、平面視四角環状を呈しており、リミットスイッチ７は、手摺装置９を構成する部材のうち、下カム６（及び上カム８）が固定されたガイドレール４に隣接する部分の、水平に配置された棒状部材９ａに固定される。即ち、上記取付部２１は、パイプ状を呈する棒状部材９ａの任意の位置に取付可能な構成を有しており、例えば、棒状部材９ａを上下から挟持することにより、リミットスイッチ本体１９及び検出子２０を所望の位置に配置する。
【００２６】
図７及び図８はこの発明の実施の形態１における上カムの取付方法を説明するための図、図９はこの発明の実施の形態１における上カムを説明するための平面図、図１０はその側面図である。図７乃至図１０において、上カム８は、かご５に固定されたリミットスイッチ７を動作させるためのロータリーバー２２（動作手段）、ロータリーバー２２を支持する支持体２３、レバー操作により支持体２３をガイドレール４の任意の位置に着脱する固定手段２４を備えている。なお、上記ロータリーバー２２及び支持体２３は、下カム６のロータリーバー１０及び支持体１１とほぼ同様の構成及び機能を有するため、その詳細な説明は省略する。
【００２７】
固定手段２４は、下カム６の受け部１３と同様の構成及び機能を有する受け部２５と、支持体１１に設けられたクランプ部２６とから構成される。クランプ部２６は、支持体２３（上カム８）のガイドレール４への着脱をレバー操作によって行うためのものである。具体的に、上記クランプ部２６は、下端部が支持体２３に回動自在に設けられたレバー２７、一端部がレバー２７の中間部に回動自在に設けられ、他端部が所定の鉤状を呈するフック２８、レバー２７を拘束するためのロック機構２９を備えている。
【００２８】
そして、上カム８をガイドレール４に固定する場合には、図７及び図８に示すように、ガイドレール４の一側部を受け部２５に突き当て、且つフック２８の鉤状を呈する先端部をガイドレール４の他側部に合わせた状態でレバー２７を傾倒させる。そして、レバー２７を、図７のＡ方向に傾倒させることにより、フック２８を受け部２５側に移動させ、受け部２５とフック２８の先端部とによってガイドレール４のフランジ部を狭持する。また、レバー２７が完全に傾倒されることにより、鉤状を呈するロック機構２９の先端部がレバー２７に引っ掛かり、フック２８が移動しないようにレバー２７を拘束する。
【００２９】
なお、図６及び図７からも分かるように、フック２８は、レバー２７の操作により、鉤状を呈する先端部とこの先端部に対向する受け部２５との距離が広狭自在となるように移動する。このため、上記動作を反対に順次実施することにより、レバー２７の操作によって上カム８をガイドレール４から簡単に取り外すことができる。また、フック２８の長さ（突出量）はネジ等によって微調整が可能であり、上カム８を固定するガイドレール４の幅に合わせて、受け部２５及びフック２８間距離を適宜調整することができる。
【００３０】
次に、上記安全装置を使用してガイドレール４の芯出し作業を行う場合の動作について説明する。据付作業者は、先ず、下カム６を、かご５の昇降範囲の下限高さに合わせて、レールクリップ１６を用いてガイドレール４のフランジ部に固定する。この時、動作部１０ａが平面視かご５に接近及び離隔可能となるように、軸１７を、平面視対向するかご５の側壁に対して平行で、水平となるように配置する。
【００３１】
次に、据付作業者は、かご５の上面に移動し、リミットスイッチ７を手摺装置９の棒状部材９ａに固定する。なお、リミットスイッチ７は、上述したように、水平に配置された棒状部材９ａの任意の位置に取り付け可能である。このため、検出子２０が、ガイドレール４に固定された下カム６の動作部１０ａに平面視対向するように、リミットスイッチ７を棒状部材９ａに沿ってスライド移動させながらその位置を調整する。
【００３２】
リミットスイッチ７を手摺装置９に固定した後、据付作業者は、位置が定まった検出子２０に合わせて、下カム６の動作部１０ａを固定する。即ち、ロータリーバー１０の支持部１０ｂの角度を調整して、動作部１０ａが平面視検出子２０に交差するように配置し、蝶ボルト１８を用いて支持部１０ｂの一端部を固定する。
【００３３】
その後、据付作業者は、上カム８を、かご５の昇降範囲の上限高さに合わせて、レバー操作によってガイドレール４のフランジ部に固定する。この時、ロータリーバー２２の動作部２２ａが平面視かご５に接近及び離隔可能となるように配置する。また、上記検出子２０の位置に合わせて、動作部２２ａの位置を設定する。なお、上カム８の受け部２５及びロータリーバー２２間距離は、下カム６の受け部１３及びロータリーバー１０間距離とほぼ同じなるように構成されている。このため、上カム８をガイドレール４に固定することにより、ロータリーバー２２は自然にロータリーバー１０の直上部に配置される。
【００３４】
下カム６、リミットスイッチ７、上カム８を取り付けて、動作部１０ａ及び２２ａの位置を固定した後、据付作業者は、ガイドレール４の芯出し作業を実施する。そして、この芯出し作業によってかご５の昇降範囲（の上限高さ）が変化した場合には、レバー操作によって上カム８をガイドレール４から取り外すとともに、変化した新規上限高さに合わせて、上カム８を再びレバー操作によってガイドレール４に固定する。この時、ロータリーバー２２は既に検出子２０の位置に調整済みであるため、上記上カム８の取り外し及び取り付け作業は、ロータリーバー２２（の動作部２２ａ）の固定状態を保持したまま実施する。
【００３５】
この発明の実施の形態１によれば、エレベータの据付時に、かご５（作業床）の昇降を所定の範囲に確実に規制することができるとともに、そのための作業を大幅に簡素化することができるようになる。即ち、かご５は、下カム６及び上カム８によって昇降範囲の下限及び上限が設定され、この下カム６又は上カム８によって検出子２０が付勢された場合には、かご５を非常停止させるための信号がリミットスイッチ７から確実に出力される。かかる動作により、エレベータの据付時にかご５が下降し過ぎてピット底面２に衝突したり、上昇し過ぎてガイドレール４から外れたりするような事故を確実に防止することができる。
【００３６】
また、上カム８は、レバー操作によって、ガイドレール４の任意の位置への着脱が可能であるため、かご５の昇降範囲の設定を、簡単に且つ短時間で行うことができるようになる。したがって、ガイドレール４の芯出し作業を行う場合でも、昇降範囲の上限高さを再設定する作業が軽減され、作業効率の大幅な向上が図れる。
【００３７】
また、上カム８がガイドレール４に固定された時、レバー２７は、ガイドレール４の背面に直交する方向に軸方向を有する回動軸２７ａによってその下端部が回動自在に支持される。即ち、上カム８のガイドレール４への着脱時、レバー２７がガイドレール４の背面に沿って回動するように、回動軸２７ａが配置される。このため、ガイドレール４の背面側に僅かな空間しか形成されていない場合であっても、レバー２７の操作を行うことができ、ガイドレール４が昇降路壁等に近接して立設された現場であっても対応できるようになる。なお、ロータリーバー１０及び２２の構成も、上記効果を奏するものである。
【００３８】
上述したように、上記構成の安全装置は、エレベータの据付作業時のみ備えられるものであり、エレベータの通常サービスが開始されるまでには取り外される。このため、上記安全装置を多くの据付現場で使用することができるようになれば、コストの低減、作業性の向上を図ることができるようになる。
【００３９】
図７乃至図９に示す上カム８、図１１及び図１２に示す下カム６は、２種類の据付現場（異なるガイドレール４及びかご５間距離、異なるガイドレール４のサイズ）に対応可能なものを示している。具体的には、下カム６を大きなサイズのガイドレール４に対応させた場合を図１１に、小さなサイズのガイドレール４に対応させた場合を図１２に示している。
【００４０】
下カム６を大きなサイズのガイドレール４に固定する場合、小さいサイズのガイドレール４への固定の際に使用するレールクリップ３０（図１２（ｂ）参照）は、ボルト３１及びナット３２を使用して、支持体１１の下面に固定される。即ち、予め２種類のレールクリップ１６及び３０を用意しておき、使用しないレールクリップ１６又は３０を支持体１１の下面に固定しておく（図１１（ｂ）、図１２（ｂ）参照）。これにより、据付現場のガイドレール４に合わせてレールクリップ１６及び３０を選択することができるようになる。
【００４１】
２種類のレールクリップ１６及び３０を常時支持体１１に固定しておけば、レールクリップ１６及び３０の紛失を防止でき、作業効率が悪化することもない。また、使用しないレールクリップ１６又は３０を支持体１１の下面に配置することにより、ガイドレール４の背面側への突出量を減少させることも可能となる。なお、３３は小さいレールクリップ３０を使用する際に必要な座金であり、使用しない時は、レールクリップ３０とともに支持板１１に固定される。
【００４２】
一方、上カム８には、図７乃至図９に示すように、ガイドレール４の幅に合わせて２種類のフック２８及び２８ａが設けられている。即ち、フック２８は上記レールクリップ１６を使用する時に用いられ、フック２８ａは上記レールクリップ３０を使用する時に用いられる。このフック２８及び２８ａは、それぞれ受け部２５に対向するように、その配置が切換自在に構成されており、２種類のガイドレール４に対応できるように、受け部２５に対向して配置された際に、受け部２５との各距離が互いに異なるように構成されている。
【００４３】
また、フック２８を受け部２５に対向するように配置した場合にフック２８ａが上方を向き、フック２８ａを受け部２５に対向するように配置した場合にフック２８が下方を向くように、互いに直交する位置に配置されている。上記構成によれば、一方を使用する場合に他方が邪魔になるようなことはなく、また、ガイドレール４の背面側への突出量も最小に抑えることができる。
【００４４】
上記構成を有する下カム６、リミットスイッチ７、上カム８であれば、動作部１０ａ及び２２ａをガイドレール４の逆側に配置しても、上記と同様の手順によって動作部１０ａ及び２２ａ、検出子２０の位置調整を行うことができる。エレベータ据付時には、種々のケーブルや位置決め用のピアノ線等が昇降路１内に配置されるため、その据付現場に合った向きに安全装置を取り付けることによって、作業性が更に向上する。
【図面の簡単な説明】
【００４５】
【図１】この発明の実施の形態１におけるエレベータの据付方法を説明するための図である。
【図２】この発明の実施の形態１における下カムを説明するための平面図である。
【図３】この発明の実施の形態１における下カムを説明するための背面図である。
【図４】この発明の実施の形態１における下カムを説明するための側面図である。
【図５】この発明の実施の形態１におけるリミットスイッチを説明するための側面図である。
【図６】この発明の実施の形態１におけるリミットスイッチと下カムとの配置を示す側面図である。
【図７】この発明の実施の形態１における上カムの取付方法を説明するための図である。
【図８】この発明の実施の形態１における上カムの取付方法を説明するための図である。
【図９】この発明の実施の形態１における上カムを説明するための平面図である。
【図１０】この発明の実施の形態１における上カムを説明するための側面図である。
【図１１】この発明の実施の形態１における下カムを示す図である。
【図１２】この発明の実施の形態１における下カムを示す図である。
【符号の説明】
【００４６】
１  昇降路、  ２  ピット床面、  ３  レール支持台、  ４  ガイドレール、
５  かご（作業床）、  ６  下カム、  ７  リミットスイッチ、  ８  上カム、
９  手摺装置、  ９ａ  棒状部材、  １０  ロータリーバー、  １０ａ  動作部、
１０ｂ  支持部、  １１  支持体、  １１ａ  取付孔、  １２  固定手段、
１３  受け部、  １３ａ  傾斜面、  １４  ボルト、  １５  ナット、
１６  レールクリップ、  １７  軸、  １８  蝶ボルト、
１９  リミットスイッチ本体、  ２０  検出子、  ２１  取付部、
２２  ロータリーバー、  ２２ａ  動作部、  ２３  支持体、  ２４  固定手段、
２５  受け部、  ２６  クランプ部、  ２７  レバー、  ２７ａ  回動軸、
２８  フック、  ２８ａ  フック、  ２９  ロック機構、
３０  レールクリップ、  ３１  ボルト、  ３２  ナット、  ３３  座金
【図１】
0005029188.tif 000002
【図２】
0005029188.tif 000003
【図３】
0005029188.tif 000004
【図４】
0005029188.tif 000005
【図５】
0005029188.tif 000006
【図６】
0005029188.tif 000007
【図７】
0005029188.tif 000008
【図８】
0005029188.tif 000009
【図９】
0005029188.tif 000010
【図１０】
0005029188.tif 000011
【図１１】
0005029188.tif 000012
【図１２】
0005029188.tif 000013